(57)【要約】【課題】エンジン始動時にバッテリのＳＯＣ及びＳＯＨを検出することにより、その検出結果に基づいてアイドリングストップの許否判定を行うことが可能なアイドリングストップ制御装置を得る。【解決手段】検出部５１は、電圧センサ１３に接続されており、エンジン始動時にバッテリ１のＳＯＣ及びＳＯＨを検出する。判定部５３には、検出部５１及び記憶部１７が接続されている。記憶部１７には、アイドリングストップの実行を許否する判定しきい値として、ＳＯＣ及びＳＯＨの各しきい値が、予め設定されて記憶されている。判定部５３は、エンジン始動時に検出部５１によって検出されたＳＯＣ及びＳＯＨと、記憶部１７から読み出したＳＯＣ及びＳＯＨの各しきい値とをそれぞれ比較することにより、アイドリングストップの実行の許否を判定する。【選択図】図９
2007218107.tif 000002
【特許請求の範囲】
【請求項１】
エンジン始動時にバッテリのＳＯＣ（State of Charge）及びＳＯＨ（State of Health）を検出する検出部と、
前記検出部によって検出された前記ＳＯＣ及び前記ＳＯＨと、予め設定されたＳＯＣのしきい値及びＳＯＨのしきい値とを比較することにより、アイドリングストップの許否を判定する判定部と
を備える、アイドリングストップ制御装置。
【請求項２】
前記バッテリの使用開始後の一定期間内におけるアイドリングストップの実行回数に基づいて、アイドリングストップの頻度を検出する頻度検出部をさらに備え、
前記判定部は、前記頻度検出部によって検出された前記頻度に基づいて、前記ＳＯＣの前記しきい値及び前記ＳＯＨの前記しきい値を変更する、請求項１に記載のアイドリングストップ制御装置。
【請求項３】
前記判定部は、前記頻度検出部によって検出された前記頻度に基づいて、前記バッテリの目標寿命期間内でのエンジン始動回数を予測し、その予測回数が、予め設定された所定回数を超える場合には、前記ＳＯＣの前記しきい値及び前記ＳＯＨの前記しきい値を増大させる、請求項２に記載のアイドリングストップ制御装置。
【発明の詳細な説明】
【技術分野】
【０００１】
本発明は、アイドリングストップの実行の許否を制御するアイドリングストップ制御装置に関する。
【背景技術】
【０００２】
現在の自動アイドリングストップ車においては、通常のバッテリに加えて、アイドリングストップ後にエンジンを再始動するための専用バッテリが搭載されたものが主流である。しかし、２つのバッテリを搭載することによってコストが上昇するため、今後は、専用バッテリを搭載せずに１つのバッテリによって自動アイドリングストップを実行するタイプの車両が普及することが予想される。
【０００３】
なお、車両停止時にアイドリングストップの実行を許可するか否かの判定方法として、例えば下記特許文献１には、車両停止時にバッテリに対してパルス状の充放電を行い、その際のバッテリ電圧の挙動に基づいてアイドリングストップの許否を判定する方法が開示されている。
【０００４】
【特許文献１】特開２００４−２７０４９６号公報
【発明の開示】
【発明が解決しようとする課題】
【０００５】
上記特許文献１に開示された判定方法では、パルス状の充放電を行った際のバッテリ電圧の挙動に基づいてアイドリングストップの許否が判定されている。しかしながら、エンジン始動時にバッテリのＳＯＣ（State of Charge）及びＳＯＨ（State of Health）が検出できれば、その検出したＳＯＣ及びＳＯＨに基づいてアイドリングストップの許否判定を行ったほうが、正確かつ簡便である。
【０００６】
また、自動アイドリングストップ車では、アイドリングストップの回数が増えると、その後のエンジン再始動の回数も増え、バッテリの寿命が低下する。つまり、ユーザの使用環境に応じてバッテリの寿命が変動し、例えば都会等の交通過密地域で使用されている場合には、アイドリングストップの頻度も増えるため、バッテリの寿命が短くなる傾向にある。
【０００７】
本発明はかかる事情に鑑みて成されたものであり、エンジン始動時にバッテリのＳＯＣ及びＳＯＨを検出することにより、その検出結果に基づいてアイドリングストップの許否判定を行うことが可能であり、しかも、ユーザの使用環境によってバッテリの寿命が著しく短命化することを回避又は抑制できる、アイドリングストップ制御装置を得ることを目的とする。
【課題を解決するための手段】
【０００８】
第１の発明に係るアイドリングストップ制御装置は、エンジン始動時にバッテリのＳＯＣ及びＳＯＨを検出する検出部と、前記検出部によって検出された前記ＳＯＣ及び前記ＳＯＨと、予め設定されたＳＯＣのしきい値及びＳＯＨのしきい値とを比較することにより、アイドリングストップの許否を判定する判定部とを備えることを特徴とする。
【０００９】
第２の発明に係るアイドリングストップ制御装置は、第１の発明に係るアイドリングストップ制御装置において特に、前記バッテリの使用開始後の一定期間内におけるアイドリングストップの実行回数に基づいて、アイドリングストップの頻度を検出する頻度検出部をさらに備え、前記判定部は、前記頻度検出部によって検出された前記頻度に基づいて、前記ＳＯＣの前記しきい値及び前記ＳＯＨの前記しきい値を変更することを特徴とする。
【００１０】
第３の発明に係るアイドリングストップ制御装置は、第２の発明に係るアイドリングストップ制御装置において特に、前記判定部は、前記頻度検出部によって検出された前記頻度に基づいて、前記バッテリの目標寿命期間内でのエンジン始動回数を予測し、その予測回数が、予め設定された所定回数を超える場合には、前記ＳＯＣの前記しきい値及び前記ＳＯＨの前記しきい値を増大させることを特徴とする。
【発明の効果】
【００１１】
第１の発明に係るアイドリングストップ制御装置によれば、検出部は、エンジン始動時にバッテリのＳＯＣ及びＳＯＨを検出する。また、判定部は、検出部によって検出されたＳＯＣ及びＳＯＨと、予め設定されたＳＯＣのしきい値及びＳＯＨのしきい値とを比較することにより、アイドリングストップの許否を判定する。従って、アイドリングストップの許否判定を、バッテリの充電残量や劣化度合いに応じて、正確かつ簡便に行うことが可能となる。
【００１２】
第２の発明に係るアイドリングストップ制御装置によれば、アイドリングストップの実行頻度に応じて、ＳＯＣのしきい値及びＳＯＨのしきい値が変更される。従って、実行頻度が多い場合にはしきい値を増大させてアイドリングストップの許可条件を厳しくすることにより、バッテリの寿命を延命化させることが可能となる。
【００１３】
第３の発明に係るアイドリングストップ制御装置によれば、バッテリの目標寿命期間内でのエンジン始動の予測回数が予め設定された所定回数を超える場合には、ＳＯＣ及びＳＯＨの各しきい値を増大させてアイドリングストップの許可条件を厳しくすることにより、バッテリの寿命を延命化させることが可能となる。その結果、目標寿命期間までバッテリの寿命を持たせることができる。
【発明を実施するための最良の形態】
【００１４】
以下、本発明の実施の形態について、図面を参照して詳細に説明する。なお、異なる図面において同一の符号を付した要素は、同一又は相応する要素を示すものとする。
【００１５】
＜原理説明＞
まず、本実施形態に係るバッテリ状態管理装置における、バッテリ状態の評価原理について説明する。
【００１６】
図１は、劣化状況及び充電残量の異なるバッテリについて開放電圧（バッテリが実質的に放電を行っていないときの出力電圧）とエンジン始動時の下限電圧（エンジン始動時の放電によりバッテリの出力電圧が低下したときのその最低電圧であり、本発明に係る放電時電圧に相当する）とを試験により計測した計測結果を示すグラフである。その横軸は各放電試験におけるエンジン始動時放電開始前のバッテリの開放電圧値に対応し、縦軸は各放電試験におけるエンジン始動時放電中のバッテリの下限電圧値に対応している。また、図１中の曲線Ｇ１は新品（実質的に新品であればよい（以下同様））のバッテリについての計測結果に基づいて描いたものであり、曲線Ｇ２〜Ｇ４は使用されてある程度劣化したバッテリについての計測結果に基づいて描いたものであり、曲線Ｇ２，Ｇ３，Ｇ４の順にバッテリの使用期間が長くなり劣化が進んでいる。なお、充電終了時（エンジン停止時）から一定時間経過時の開放電圧値を用いることにより、バッテリ１の放電特性取得や状態評価等の精度がより向上する。
【００１７】
図１のグラフより、バッテリの劣化が進むにつれて対応する曲線Ｇ１〜Ｇ４がグラフの概ね右方向（又は右下方向）にシフトしていることが分かる。特に、下限電圧値が所定の基準レベル（例えば、９Ｖ）以下の領域では、曲線Ｇ１を基準とした曲線Ｇ２〜Ｇ４の右方向へのシフト量が対応するバッテリの劣化の進みに応じて増加する傾向にあることが分かる。これより、曲線Ｇ１に対応した新品のバッテリのエンジン始動時放電特性（各充電残量に応じた各放電電圧値に対するエンジン始動時放電中の下限電圧値）を導出しておけば、これを基準としてバッテリの状態評価を行うことができる。
【００１８】
しかし、エンジン始動時にバッテリに接続される負荷の状況は、車種ごとに大きく相違する。このため、従来の手法を適用して、曲線Ｇ１に対応するバッテリのエンジン始動時放電特性を取得しようとすると、例えば、ある一定の基準条件の下で曲線Ｇ１に対応するバッテリのエンジン始動時放電特性を試験により検出し、その放電特性に対し、車種ごとに設定した調節パラメータを用いて微調整を行うこととなる。
【００１９】
そこで、本願発明者は、その従来手法の課題に着目し、車体固有の調節パラメータ等を使用することなく、車体固有のエンジン始動時の負荷状況を反映したバッテリのエンジン始動時放電特性等を自動的に取得できるようにすべく、対策を行った。その原理は以下の通りである。
【００２０】
図２は、バッテリのエンジン始動時の放電特性について説明するためのグラフであり、図２のグラフ中の曲線Ｇ１は図１の曲線Ｇ１に対応している。図３に示すように、エンジン始動時にバッテリ１に接続されるエンジン始動時負荷ＬS（バッテリの内部抵抗以外の負荷であって、スタータ、その他の抵抗要素等を含む）の抵抗値をＲSとし、バッテリ１の内部抵抗値をＲBとし、バッテリ１の開放電圧値をＶOとし、バッテリ１にエンジン始動時負荷ＬSを接続して放電を行わせた際の出力電圧の最低値である下限電圧値をＶLとすると、これらのパラメータＲS，ＲB，ＶO，ＶLの間には、次の関係が成り立つ。
【００２１】
【数１】
2007218107.tif 000003
【００２２】
この式（１）をＶLについて解くと次のようになる。
【００２３】
【数２】
2007218107.tif 000004
【００２４】
この式（２）において、内部抵抗値ＲBが開放電圧値ＶO（すなわち、バッテリ１の充電残量）により変化しないと仮定すると、エンジン始動時負荷ＬSの抵抗値ＲSは開放電圧値ＶOの値に依らず一定であるため、図２のグラフの座標系の原点を通る直線Ｇ５に対応した式（値ＶO，ＶLの比例関係を表す式）が得られる。
【００２５】
実際には、式（２）における内部抵抗値ＲBは開放電圧値ＶO（バッテリ１の充電残量）の減少に伴って増加するため、下限電圧値ＶLの低下割合は、曲線Ｇ１のように開放電圧値ＶOの減少に伴って増大するようになっている。すなわち、図２のグラフの曲線Ｇ１の直線Ｇ５からの縦軸マイナス方向への乖離量が開放電圧値ＶOの減少に伴って徐々に大きくなるのは、開放電圧値ＶOの減少に伴う内部抵抗値ＲBの増加によるものであるということができる。
【００２６】
そこで、本願発明者は、開放電圧値ＶO（バッテリ１の充電残量）の減少に伴うバッテリ１の内部抵抗値ＲBの増加割合は、新品のバッテリ１であればどのバッテリ１についてもほぼ共通した特性であることに着目し、その特性を有効に利用することにより、新品のバッテリ１のエンジン始動時負荷ＬSに対する車両固有の放電特性を容易に検出することが可能であることに思い至った。
【００２７】
すなわち、新品のバッテリ１における開放電圧値ＶOの減少に伴う内部抵抗値ＲBの増加割合に関する情報を予め取得してシステムに記憶させておき、工場での車両組立完成時、出荷時、車両がエンドユーザに引き渡されたとき、又はエンドユーザ引き渡し後一定期間内などのバッテリ１が新品の状態にあるときに、バッテリ１に対するエンジン始動時負荷ＬSを用いた放電特性（基準となる充電残量における新品のバッテリ１の開放電圧値ＶOとエンジン始動時負荷ＬSを接続した際の下限電圧値ＶL）の計測により、図２のグラフ上における車両固有の１つの計測点を取得し、その計測点と予め記憶された内部抵抗値ＲBの増加割合に関する情報とに基づいて、新品のバッテリ１のエンジン始動時負荷ＬSに対する車両固有の放電特性を取得できることが分かった。なお、前記車両固有の計測点については、複数回の計測を行って得られた計測結果について平均化（加重平均を含む）等の数値処理を施したものを利用してもよく、その場合、計測時のバッテリ１の開放電圧（充電残量）の値に応じて開放電圧が最大の計測点について優先的に利用したり、加重平均の寄与度を大きくする等の方法が考えられる。
【００２８】
より具体的には、まず、新品のバッテリ１の充電残量が満充電状態（実質的に満充電状態であればよい（以下同様））であるときの開放電圧値ＶOIF及び内部抵抗値ＲBIFと、充電残量が低下したときの各開放電圧値ＶOIにおける内部抵抗値ＲBIのＲBIFに対する変化率（ＲBI／ＲBIF）とを試験により計測する。そして、新品のバッテリ１の開放電圧値ＶOIの変化に対する内部抵抗値ＲBIの変化率（ＲBI／ＲBIF）を、開放電圧値ＶOIを変数とした関数（例えば、式（３）のような関数）として近似的に求め、その関数に関する情報を予めシステムに記憶させておく。あるいは、その変形例として、各開放電圧値ＶOIの値とそれに対応する内部抵抗値ＲBIの変化率（ＲBI／ＲBIF）の各値とをデータテーブルにして予めシステムに記憶させるようにしてもよい。なお、各開放電圧値ＶOIにおける内部抵抗値ＲBIの変化率（ＲBI／ＲBIF）の具体的な計測方法については後述する。
【００２９】
【数３】
2007218107.tif 000005
【００３０】
次に、工場での車両組立完成時等のバッテリ１が新品状態にあり、かつ、バッテリ１が満充電状態であるときに、開放電圧値（初期基準放電電圧値）ＶOIFと、そのバッテリ１のエンジン始動時負荷ＬSを接続した際のバッテリ１の下限電圧値（初期基準下限電圧値）ＶLIFとを計測する。バッテリ１が満充電状態であるか否かの判定は、例えばバッテリ１の開放電圧値を計測し、その値が満充電状態に対応した所定の基準レベル以上になっているか否かを判定することにより行われる。なお、上述の如く、初期基準放電電圧値ＶOIF及び初期基準下限電圧値ＶLIFの計測を複数回行ってそれらを平均等したものを利用してもよい。
【００３１】
この初期基準放電電圧値ＶOIF及び初期基準下限電圧値ＶLIFについての計測結果と、上式（３）の関数（又はそれと同等なデータテーブル）を用いることにより、車両に搭載された新品のバッテリ１のエンジン始動時負荷ＬSに対する開放電圧値ＶOIの変化に伴う下限電圧値ＶLIの変化を示す関係式は、次式で与えられる。
【００３２】
【数４】
2007218107.tif 000006
【００３３】
ここで、上式（４）中のパラメータＶLKは、図２のグラフの直線Ｇ５上における開放電圧値がＶOIであるときの下限電圧値であり、下記の式（５）により与えられる。
【００３４】
【数５】
2007218107.tif 000007
【００３５】
式（４）の関係式の導出は、例えば次のようにして行われる。すなわち、上式（１）の関係を図２のグラフにおける座標点ＰFについて当てはめることを考えた場合、開放電圧値がＶOIFのとき（満充電時）の内部抵抗値ＲBをＲBIFとすると、次の関係式（６）が得られる。
【００３６】
【数６】
2007218107.tif 000008
【００３７】
また、上式（１）の関係を図２のグラフにおける座標点ＰIについて当てはめることを考えた場合、開放電圧値がＶOIのときの内部抵抗値ＲBが上式（３）よりＲB＝ｆ（ＶOI）・ＲBIFとして得られるため、次の関係式（７）が得られる。
【００３８】
【数７】
2007218107.tif 000009
【００３９】
よって、関係式（６）の右辺を関係式（７）の左辺のパラメータ（ＲS／ＲBIF）に代入したものをパラメータＶLIについて解くと、上記関係式（４）が得られる。
【００４０】
上式（６）の関係式は、別の観点から見ると、図２のグラフの直線Ｇ５を基準として、直線Ｇ５上の点を、上式（３）の関係により与えられるその点における開放電圧値ＶOIに応じたバッテリ１の内部抵抗値の変化率の変化態様に応じたシフト量で縦軸マイナス方向にシフトさせることにより、各充電残量（各開放電圧値ＶOI）における下限電圧値ＶLIを導出している。
【００４１】
このように導出した開放電圧値ＶOIと下限電圧値ＶLIとの関係に関する情報は、車両固有のエンジン始動時負荷ＬSの抵抗値ＲSが反映されているため、この情報を用いることにより、車両固有の負荷環境等を反映したバッテリ１の状態評価を行うことができる。
【００４２】
ここで、図２のグラフ中の値ＶOIE，ＶLIEは、新品のバッテリ１が充電残量ゼロ（実質的に充電残量がゼロであればよい（以下同様））のときの開放電圧値及び下限電圧値にそれぞれ対応している。また、値ＶOIF，ＶOIEの具体例は、例えば１２．８６Ｖ，１１．９Ｖである。
【００４３】
次に、新品のバッテリ１における開放電圧値ＶOの減少に伴う内部抵抗値ＲBの増加割合に関する情報の取得方法について説明する。まず、本実施形態では、バッテリ容量試験に関するＪＩＳ規格に従い、新品のバッテリ１に対する容量試験を行う。ここで、ＪＩＳ規格の容量試験とは、満充電状態のバッテリ１に一定電流値（例えば、０．２Ａ）の放電を行わせ、その放電開始時からバッテリ１の出力電圧が充電残量ゼロに対応した電圧値（例えば、１１．９Ｖ）に到達するまでの所要時間を計測し、その所要時間と放電電流値（例えば、０．２Ａ）との乗算値をバッテリ容量とする試験である。なお、変形例として、ＪＩＳ準拠放電試験の条件（電流値、温度等）以外での放電特性を代わりに用いてもよい。
【００４４】
すなわち、本実施形態では、満充電状態の新品のバッテリ１に、ＪＩＳ規格に準拠した一定電流値（例えば、０．２Ａ）を放電させつつ、そのときのバッテリ１の出力電圧の推移を計測する。図４のグラフ中の曲線Ｇ７は、そのときのバッテリ１の出力電圧の推移を計測した結果を示すものであり、グラフ中の値ＶAFは放電開始前の満充電状態のバッテリ１の出力電圧値（開放電圧値）であり、前述の値ＶOIFに対応している。値ＶAEはバッテリ１の充電残量ゼロに対応する放電終了時の開放電圧値であり、前述の前述の値ＶOIEに対応している。また、値ＶBFは放電開始直後のバッテリ１の出力電圧値であり、値ＶBEはバッテリ１の充電残量ゼロに対応する放電終了時の出力電圧値であり、値ＴEは充電残量ゼロに対応する放電終了時の時間を示している。また、直線Ｇ８は、放電による充電残量の減少に伴って変化するバッテリ１の開放電圧の計測値の推移を直線で近似したものである。また、このグラフ中のハッチングを付した領域が、充電残量の減少に伴うバッテリ１の内部抵抗値ＲBの増加の影響を反映している部分であり、図２及び後述する図５のグラフのハッチングを付した領域に対応している。
【００４５】
続いて、図４のグラフにおける曲線Ｇ７上における点と直線Ｇ８上における点とのグラフの縦軸方向に沿った差の大きさは、その時点におけるバッテリ１の内部抵抗値ＲBに比例するため、放電開始時（満充電時）における値ＶAFと値ＶBFとの差Ｄ２と、放電の過程の直線Ｇ８上の各点と曲線Ｇ７上の各点との差Ｄ３との比率（Ｄ３／Ｄ２）により、各開放電圧値ＶOにおける内部抵抗値ＲBの変化率（ＲB／ＲBF）を導出することができる。図５のグラフ中の曲線Ｇ９は、そのように導出した開放電圧値ＶOの変化に対する内部抵抗値ＲBの変化率（ＲB／ＲBF）を示しており、この曲線Ｇ９に基づいて前述の式（３）が決定される。
【００４６】
次に、図６を参照して、上式（４），（５）の関係式（又はその関係式と等価な開放電圧値ＶOIと下限電圧値ＶLIとを対応付けたデータテーブル）を用いたバッテリ１の状態（劣化度合い及び充電残量）の評価原理について説明する。
【００４７】
まず劣化度合い（ＳＯＨ：State of Health）の評価原理について説明する。図６のグラフ中の曲線Ｇ１は、上述のように、予めシステムに記憶させた上式（４），（５）の関係式（又はその関係式と等価な開放電圧値ＶOIと下限電圧値ＶLIとを対応付けたデータテーブル）と、上述の初期基準開放電圧値ＶOIF及び初期基準下限電圧値ＶLIFとを用いて導出したものである。この図６の曲線Ｇ１及び値ＶOIF，ＶLIFに関する情報は、システムに記憶されてバッテリ１の状態評価に用いられる。
【００４８】
そして、バッテリ１の使用が開始されている状態において、バッテリ１の劣化度合いを評価する際には、エンジン始動時におけるエンジン始動時負荷ＬSがバッテリ１に接続される前の開放電圧である使用後開放電圧値ＶORと、エンジン始動時負荷ＬSがバッテリ１に接続されたときの下限電圧である使用後下限電圧値ＶLRとが計測される。このとき、バッテリ１の充電残量は満充電状態である必要はない。
【００４９】
続いて、図６のグラフの曲線Ｇ１上における下限電圧値が使用後下限電圧値ＶLRと等しい値であるときの開放電圧値を対応基準開放電圧値ＶOSとして導出し、予め記憶された初期基準開放電圧値ＶOIFとその対応基準開放電圧値ＶOSとの差である第１の差分値Ｄ１１と、初期基準開放電圧値ＶOIFと使用後開放電圧値ＶORとの差である第２の差分値Ｄ１２とを比較することにより、その時点におけるバッテリ１の劣化度合いが検出される。
【００５０】
この検出原理は、前述の図１を用いて説明したバッテリ１の劣化度合いが小さいほどグラフ上の計測点（ＶO，ＶL）は曲線Ｇ１に近づくように略左方向にシフトするという特性を利用したものである。すなわち、バッテリ１の劣化度合いが小さいほど図６のグラフ上の計測点Ｐ１１（ＶOR，ＶLR）は、対応する曲線Ｇ１上の座標点Ｐ１２に近づいてゆくようになっており、その計測点Ｐ１１の座標点Ｐ１２に対する近づき度合いに基づいてバッテリ１の劣化度合いを評価するようになっている。
【００５１】
次に、充電残量（ＳＯＣ：State of Charge）の評価原理について説明する。充電残量の評価も、劣化度合いの評価と同様に、図６のグラフの曲線Ｇ１で表されるバッテリ１が新品のときの放電電圧と下限電圧との関係を用いて行われ、充電残量の評価の際に、使用後開放電圧値ＶORと使用後下限電圧値ＶLRとが計測される。なお、記憶部１７には、上式（３）の内部抵抗変化率の取得に伴って取得された新品のバッテリ１の充電残量ゼロのときの開放電圧である最低基準開放電圧値ＶOIEが初期設定として予め記憶されている。
【００５２】
そして、劣化度合いの評価のときと同様にして図６のグラフの曲線Ｇ１上における下限電圧値が使用後下限電圧値ＶLRと等しい値であるときの開放電圧値を対応基準開放電圧値ＶOSとして導出する。そして、使用が開始されているその時点におけるバッテリ１の充電残量がゼロのときを想定したときの開放電圧である最低使用後開放電圧値ＶOREを、次のようにして導出する。すなわち、予め取得された初期基準開放電圧値ＶOIFから最低基準開放電圧値ＶOIEを引いた値Ｄ１３に対する初期基準開放電圧値ＶOIFから最低使用後開放電圧値ＶOREを引いた値Ｄ１４の比が、初期基準開放電圧値ＶOIFから対応基準開放電圧値ＶOSを引いた値Ｄ１１に対する初期基準開放電圧値ＶOIFから使用後開放電圧値ＶORを引いた値Ｄ１２の比と等しくなるようにして導出して、最低使用後開放電圧値ＶOREを導出する。
【００５３】
そして、初期基準開放電圧値ＶOIFと最低使用後開放電圧値ＶOREとの差である第３の差分値Ｄ２１と、使用後開放電圧値ＶORと最低使用後開放電圧値ＶOSとの差である第４の差分値Ｄ２２とを比較することにより、その時点におけるバッテリ１の充電残量を検出するようになっている。
【００５４】
この検出原理は、バッテリ１の充電残量が満充電状態から減少するのに従って、図６のグラフの横軸に平行な仮想線Ｌ１上における計測点Ｐ１１に対応した座標点Ｐ２１が、満充電残量に対応する座標点Ｐ２２側から充電残量ゼロ状態に対応する座標点Ｐ２３側に近づく特性を利用したものである。
【００５５】
＜装置構成＞
図７は、本発明の一実施形態に係るバッテリ状態管理装置のブロック図である。このバッテリ状態管理装置は、図７に示すように、電流センサ１１、電圧センサ１３、処理部１５、記憶部１７及び出力部１９を備えて構成されており、車両に搭載されたバッテリ１の状態を管理する。
【００５６】
電流センサ１１は、バッテリ１に対する電流の入出力量を検出する。電圧センサ１３は、バッテリ１の出力電圧を検出する。処理部１５は、ＣＰＵ等を備えて構成され、バッテリ１の管理のために各種の情報処理動作（制御動作も含む）を行う。記憶部１７は、メモリ等により構成され、処理部１５が行う各種の情報処理動作に必要な情報等が記憶されている。出力部１９は、バッテリ１の状態の判定結果等を出力するためのものである。
【００５７】
＜全体の所定動作＞
まず、このバッテリ状態管理装置の全体的な処理動作について、図８を参照して説明する。処理部１５は、ステップＳ１でイグニッションスイッチ（以下、「ＩＧスイッチ」という）２１がオンされるのに伴って、ステップＳ２で初期充電残量の検出動作を行う。この検出動作では、バッテリ１の開放電圧が電圧センサ１３を介して計測され、その開放電圧の計測値に基づいてバッテリ１のエンジン始動前の充電残量（初期充電残量）が検出される。このとき、バッテリ１が満充電状態であるか否かの判定も行われる。なお、ここで計測されたバッテリ１の開放電圧は後述のステップＳ５のエンジン始動時状態判定又はステップＳ６の基準放電特性導出処理に用いられる。
【００５８】
処理部１５は、続くステップＳ３でスタータ２３が駆動されて図示しないエンジンが始動されるのに伴って、ステップＳ４でバッテリ１の基準放電特性の導出処理の要否が判断される。すなわち、車両の組立完成後、基準放電特性の導出処理がまだ行われていない場合には、ステップＳ６に進み基準放電特性導出処理が行われ、導出処理が既に行われている場合には、ステップＳ５に進みエンジン始動時状態判定処理が行われる。この基準放電特性の導出が既に行われているか否かの判断は、例えば上式（４），（５）に関する関係式（又はそれと等価なデータテーブル）が記憶部１７に記憶されているか否かを判断することにより行われる。また、この基準放電特性の導出は、車両組立完成時等に実質的に１回行えば、バッテリ１を交換するまでは行う必要がない。ステップＳ６での基準放電特性導出処理又はステップＳ５での始動時状態判定処理が行われると、ステップＳ７に進み始動後劣化判定処理が行われる。なお、基準放電特性導出処理及び始動時状態判定処理の具体的内容については後述する。
【００５９】
そして、処理部１５は、続くステップＳ７でエンジン始動後劣化判定動作を行う。この始動後劣化判定動作では、エンジン始動後の充電により満充電（又はそれに近い状態）になったバッテリ１への電流流入状況を電流センサ１１を介して検出し、その電流流入状況に基づいてバッテリ１の劣化度が判定される。
【００６０】
また、処理部１５は、続くステップＳ８でバッテリ１に対する充電制御（バッテリ１の充電残量管理）を行う。この充電制御では、電流センサ１１の計測電流値を積算することにより、エンジン始動時等の所定の基準時からバッテリ１から放電された全電流量が逐次検出され、その検出結果に基づいてバッテリ１に対して行うべき充電量を決定するようになっている。これによって、走行中におけるバッテリ１の充電残量が所定範囲内に維持されるようになっている。充電量の制御は、例えば、図示しないオルタネータの発電量（出力電圧等）を制御することにより行われる。
【００６１】
このステップＳ７，Ｓ８のエンジン始動後劣化判定動作及び充電制御は、エンジンが停止されるまで繰り返し継続される。
【００６２】
＜基準放電特性導出処理＞
ここでは、上述の図８のステップＳ６で行われる基準放電特性導出処理について説明する。この基準放電特性導出処理の前提として、記憶部１７には、新品のバッテリ１の開放電圧値ＶOIの変化に対する内部抵抗値ＲBIの変化率（ＲBI／ＲBIF）を近似的に表す開放電圧値ＶOIを変数とした上式（３）のような関数に関する情報（又はそれと等価な開放電圧値ＶOIと各開放電圧値ＶOIにおける内部抵抗値ＲBIの変化率（ＲBI／ＲBIF）とを対応付けたデータテーブルに関する情報）を記憶させておく必要がある。
【００６３】
処理部１５は、ステップＳ２での検出によりバッテリ１が満充電状態にある場合にのみ、この基準放電特性導出処理を行うようになっており、仮にバッテリ１が満充電状態でない場合には、その導出処理を行うことなく、例えばステップＳ７の処理に進むようになっている。そして、次回のエンジン始動時にバッテリ１が満充電状態となっていれば、そのときにステップＳ６にて基準放電特性導出処理が行われるようになっている。
【００６４】
この導出処理では、上述の如く、エンジン始動時負荷ＬSがバッテリ１に接続された際の下限電圧値が初期基準下限電圧値ＶLIFとして電圧センサ１３を介して計測され、この初期基準下限電圧値ＶLIFと直前のステップＳ２で計測された開放電圧である初期基準開放電圧値ＶOIFと、上式（３）（又は上式（３）と等価なデータテーブル）とを用いて、車両固有のエンジン始動時負荷ＬSに対する新品のバッテリ１の基準放電特性が導出される。すなわち、新品のバッテリ１の基準放電特性は、開放電圧値ＶOIの変化に伴う下限電圧値ＶLIの変化を示す上式（４）の関係式として導出される。但し、式（４）中のパラメータＲLKは上式（５）で与えられる。
【００６５】
本実施形態では、このようにして導出した新品のバッテリ１における開放電圧値ＶOIの変化と下限電圧値ＶLIの変化との関係を関係式（４），（５）の形で記憶部１７に保存するようになっているが、関係式（４），（５）と実質的に等価なデータテーブル（縦軸及び横軸に開放電圧及び下限電圧をとった２次元座標上の曲線Ｇ１を表す座標情報）の形で記憶部１７に保存するようにしてもよい。
【００６６】
この基準放電特性導出処理では、その導出処理に用いた初期基準開放電圧値ＶOIF及び初期基準下限電圧値ＶLIFが記憶部１７に保存されるようになっている。
【００６７】
＜始動時状態判定処理＞
次に、上述の図８のステップＳ５で行われる始動時状態判定処理について説明する。なお、この始動時状態判定処理は、バッテリ１の充電残量によらずに実行されるが、ステップＳ６の基準放電特性導出処理が完了していることが前提条件となっている。
【００６８】
この始動時状態判定処理では、上述の如く、エンジン始動時負荷ＬSがバッテリ１に接続された際の下限電圧値が使用後下限電圧値ＶLRとして電圧センサ１３を介して計測され、この使用後下限電圧値ＶLRと、直前のステップＳ２で計測された開放電圧である使用後開放電圧値ＶORと、ステップＳ６の基準放電特性導出処理により取得されて記憶部１７に記憶されている情報とに基づいて、その時点におけるバッテリ１の劣化度合い及び充電残量が判定される。
【００６９】
まず劣化度合いの判例処理について説明する。まず、記憶部１７に記憶されている関係式（４），（５）によって表される図６のグラフの曲線Ｇ１上における下限電圧値が使用後下限電圧値ＶLRと等しい値であるときの開放電圧値が対応基準開放電圧値ＶOSとして導出される。あるいは、式（４），（５）における変数ＶLIに使用後下限電圧値ＶLRを代入したときの変数ＶOIの値を対応基準開放電圧値ＶOSとして導出する。
【００７０】
続いて、記憶部１７に記憶された初期基準開放電圧値ＶOIFとその対応基準開放電圧値ＶOSとの差である第１の差分値Ｄ１１と、初期基準開放電圧値ＶOIFと使用後開放電圧値ＶORとの差である第２の差分値Ｄ１２とを比較することにより、その時点におけるバッテリ１の劣化度合いが検出される。例えば、第１の差分値Ｄ１１に対する第２の差分値Ｄ１２の比率（図６のハッチングを付した部分Ｃ１が対応）に基づいてバッテリ１の劣化度合いが検出される。
【００７１】
次に充電残量の判定処理について説明する。この判定処理では、劣化度合いの判定処理により取得された使用後下限電圧値ＶLR及び対応基準開放電圧値ＶOSを利用して処理が行われる。
【００７２】
続いて、その時点におけるバッテリ１の充電残量ゼロを想定したときの開放電圧である最低使用後開放電圧値ＶOREが、次のようにして導出される。すなわち、予め取得された初期基準開放電圧値ＶOIFから初期設定により記憶部１７に記憶された最低基準開放電圧値ＶOIEを引いた値Ｄ１３に対する、初期基準開放電圧値ＶOIFから最低使用後開放電圧値ＶOREを引いた値Ｄ１４の比が、初期基準開放電圧値ＶOIFから対応基準開放電圧値ＶOSを引いた値Ｄ１１に対する初期基準開放電圧値ＶOIFから使用後開放電圧値ＶORを引いた値Ｄ１２の比と等しくなるようにして、最低使用後開放電圧値ＶOREが導出される。
【００７３】
そして、初期基準開放電圧値ＶOIFと最低使用後開放電圧値ＶOREとの差である第３の差分値Ｄ２１と、使用後開放電圧値ＶORと最低使用後開放電圧値ＶOSとの差である第４の差分値Ｄ２２とが比較されることにより、その時点におけるバッテリ１の充電残量が検出するようになっている。例えば、第３の差分値Ｄ２１に対する第２の差分値Ｄ２２の比率（図６のハッチングを付した部分Ｃ２が対応）に基づいてバッテリ１の充電残量が検出される。
【００７４】
＜アイドリングストップ制御＞
以下では、図７等に示したバッテリ１が自動アイドリングストップ車のバッテリとして搭載される場合を想定して、アイドリングストップの実行を許否する制御について説明する。
【００７５】
図９は、図７を基礎として、本発明に係るアイドリングストップ制御装置の構成を示すブロック図である。処理部１５は、検出部５１及び判定部５３を備えている。検出部５１は、電圧センサ１３に接続されており、エンジン始動時にバッテリ１のＳＯＣ及びＳＯＨを検出する。ＳＯＣ及びＳＯＨの検出手法は、上述した通りである（図６参照）。検出されたＳＯＣ及びＳＯＨは、データＳ３として判定部５３に入力される。
【００７６】
判定部５３には、検出部５１及び記憶部１７が接続されている。記憶部１７には、アイドリングストップの実行を許否する判定しきい値として、ＳＯＣ及びＳＯＨの各しきい値が、予め設定されて記憶されている。具体的には、エンジンを始動する際のエンジン回転数やクランキング電圧に基づいて、エンジンを始動するために必要なＳＯＣ及びＳＯＨの各最低値が車種やバッテリの種類ごとに予め判定され、ＳＯＣ及びＳＯＨの各しきい値として設定されている。ここでは一例として、ＳＯＣのしきい値及びＳＯＨのしきい値がいずれも「５０％」に設定されているものとする。記憶部１７に記憶されているＳＯＣ及びＳＯＨの各しきい値は、データＳ４として判定部５３によって読み出される。
【００７７】
判定部５３は、エンジン始動時に検出部５１によって検出されたＳＯＣ及びＳＯＨと、記憶部１７から読み出したＳＯＣ及びＳＯＨの各しきい値とをそれぞれ比較することにより、アイドリングストップの実行の許否を判定する。つまり、ＳＯＣの検出値及びＳＯＨの検出値のいずれかが、しきい値である「５０％」以下である場合は、他の条件とは無関係にアイドリングストップの実行を許可しない。一方、ＳＯＣの検出値及びＳＯＨの検出値の双方が、しきい値である「５０％」を超えている場合は、他の条件も満足されていればアイドリングストップの実行を許可する。
【００７８】
ここで、他の条件としては、例えば温度条件がある。図９に示した温度センサ５０は、冷却水（又はエンジンルーム）の温度を測定しており、その測定結果は、検出部５１を介して判定部５３に入力される。また、記憶部１７には、アイドリングストップの実行を許否する判定しきい値として、冷却水の上限温度（例えば１００℃）及び下限温度（例えば０℃）が、予め設定されて記憶されている。判定部５３は、温度センサ５０によって測定された冷却水の温度と、記憶部１７から読み出した上限温度及び下限温度とをそれぞれ比較することにより、アイドリングストップの実行の許否を判定する。つまり、測定温度が上限温度よりも高い場合又は下限温度未満である場合は、ＳＯＨ，ＳＯＣに関する上記条件とは無関係にアイドリングストップの実行を許可しない。一方、測定温度が上限温度以下かつ下限温度以上である場合は、ＳＯＨ，ＳＯＣに関する上記条件も満足されていればアイドリングストップの実行を許可する。
【００７９】
＜しきい値の変更処理＞
図９を参照して、処理部１５は、検出部５１及び判定部５３に加えて、カウンタ５２を備えている。カウンタ５２はスタータ２３に接続されており、アイドリングストップ後にエンジンを再始動するためにスタータ２３が駆動される毎に、信号Ｓ１がカウンタ５２に入力される。カウンタ５２は入力された信号Ｓ１の個数をカウントし、これにより、アイドリングストップ後のエンジン再始動の回数（累積回数）をカウントすることができる。また、カウンタ５２へのリセット信号Ｓ６の入力によって、カウンタ５２の計数値をリセットすることができる。カウンタ５２の計数値は、ユーザへの納車時（又はバッテリが他の新品バッテリに交換された際）にリセットされる。
【００８０】
図１０は、処理部１５によるしきい値の変更処理の流れを示すフローチャートである。まずステップＳＰ１において、ユーザへの納車後（又はバッテリの交換後）に、アイドリングストップ後のエンジン再始動の回数が、カウンタ５２によってカウントされる。
【００８１】
次にステップＳＰ２において、カウンタ５２の計数値が直近にリセットされた時点から、予め定められた一定期間（例えば６ヶ月）が経過したか否かが判定される。一定期間が経過していないと判定された場合（つまりステップＳＰ２における判定結果が「ＮＯ」である場合）は、ステップＳＰ１に戻り、カウンタ５２によるカウント動作が継続される。
【００８２】
一方、一定期間が経過したと判定された場合（つまりステップＳＰ２における判定結果が「ＹＥＳ」である場合）は、次にステップＳＰ３において、アイドリングストップの実行頻度の算出が行われる。図９を参照して、判定部５３は頻度検出部５４を有しており、上記一定期間が経過したと判定されると、その時点でのカウンタ５２の計数値が、データＳ２として頻度検出部５４に入力される。頻度検出部５４は、入力されたカウンタ５２の計数値を上記一定期間（６ヶ月）で除算することにより、１ヶ月あたりのアイドリングストップ回数の平均値を算出する。
【００８３】
次にステップＳＰ４において、判定部５３は、ステップＳＰ３で算出された実行頻度に基づいて、バッテリ１に関する目標寿命期間内に実行されるであろうアイドリングストップ回数（換言すればエンジン再始動回数）を予測する。目標寿命期間としては例えば３年が設定されており、その情報は記憶部１７に記憶されている。この例では、１ヶ月あたりのアイドリングストップ回数の平均値がステップＳＰ３で算出されるので、その平均値に「３６」を乗算することにより、目標寿命期間（３年）内に実行されるであろうアイドリングストップ回数が予測される。
【００８４】
次にステップＳＰ５において、判定部５３は、ステップＳＰ５で求めた予測回数が、予め定められた所定回数よりも多いか否かを判定する。この所定回数は、バッテリの種類等に応じて適切な値に設定されて、予め記憶部１７に記憶されている。予測回数が所定回数以下である場合（つまりステップＳＰ５における判定結果が「ＮＯ」である場合）は、ステップＳＰ７に進み、しきい値を変更することなく処理を終了する。
【００８５】
一方、予測回数が所定回数よりも多い場合（つまりステップＳＰ５における判定結果が「ＹＥＳ」である場合）は、次にステップＳＰ６において、判定部５３は、上述したＳＯＣ及びＳＯＨの各しきい値を変更する。具体的には、判定部５３から記憶部１７に変更命令Ｓ５が入力されることにより、記憶部１７に記憶されているＳＯＣ及びＳＯＨの各しきい値が増大される。この例ではいずれも「５０％」であるＳＯＣ及びＳＯＨの各しきい値が、いずれも例えば「６０％」に増大される。しきい値が増大されるということは、アイドリングストップの実行を許可する条件が厳しくなるということである。従って、しきい値変更後はアイドリングストップの実行頻度は少なくなると見込まれ、バッテリ１の寿命の延命化が期待できる。
【００８６】
なお、ここではＳＯＣ及びＳＯＨの各しきい値を変更する場合について述べたが、これに加えて、記憶部１７に記憶されている温度条件に関するしきい値を変更してもよい。この例では冷却水の上限温度及び下限温度としてそれぞれ「１００℃」及び「０℃」が設定されているが、これらの値を例えば「８０℃」及び「２０℃」に変更してもよい。温度条件のしきい値をこのように変更することによっても、アイドリングストップの許可条件が厳しくなるため、以降はバッテリ１の寿命の延命化が期待できる。
【００８７】
図１１は、本発明の効果を説明するためのグラフである。グラフの横軸は年数であり、縦軸はバッテリ１のＳＯＨである。この例では上記の通り、バッテリ１の使用開始から６ヶ月（０．５年）が経過した時点で、しきい値の変更の要否が判定される。そして、アイドリングストップの実行頻度が高い場合には、アイドリングストップの許可条件が厳しくなる方向にしきい値が変更される。従って、それ以降はアイドリングストップの実行頻度が低下し、その結果、バッテリ１のＳＯＨの低下の度合いも低減される（特性Ｋ１）。しきい値の変更を行わない場合（特性Ｋ２）と比較すると、バッテリ１の寿命が延命化されていることが分かる。
【００８８】
なお、以上の説明では、バッテリ１の使用開始から６ヶ月が経過した時点でのみ、しきい値の変更の要否を判定したが、この判定は、所定間隔で定期的に行ってもよい。カウンタ５２の計数値を例えば６ヶ月ごとにリセットすることにより、しきい値の変更の要否判定を６ヶ月ごとに行うことができる。
【００８９】
＜まとめ＞
以上のように、本実施形態によれば、バッテリ容量試験についてのＪＩＳ規格に準拠した所定レベルの電流値の放電を行わせつつ、時間経過に伴うそのバッテリ１の出力電圧の推移を計測し、その計測結果を平均化して取得したバッテリ１の放電特性データに基づいてバッテリ１の状態管理を行うため、容量、グレード等の種類の異なるバッテリ１や、種類は同じであっても個体差のあるバッテリ１について、その出力電圧の変化に対する内部抵抗値の変化態様を統一的に扱うことができ、その結果、バッテリ１の種類ごとに内部抵抗の特性評価や条件設定等を行う必要がない。
【００９０】
また、図９〜１１を参照して、検出部５１は、エンジン始動時にバッテリ１のＳＯＣ及びＳＯＨを検出する。また、判定部５３は、検出部５１によって検出されたＳＯＣ及びＳＯＨと、予め設定されて記憶部１７に記憶されているＳＯＣ及びＳＯＨの各しきい値とを比較することにより、アイドリングストップの実行の許否を判定する。従って、アイドリングストップの許否判定を、バッテリ１の充電残量や劣化度合いに応じて、正確かつ簡便に行うことが可能となる。しかも、アイドリングストップの実行頻度に応じて、ＳＯＣ及びＳＯＨの各しきい値が変更される。従って、実行頻度が多い場合にはしきい値を増大させてアイドリングストップの許可条件を厳しくすることにより、バッテリ１の寿命を延命化させることが可能となる。具体的には、図１０のステップＳＰ５において、バッテリ１の目標寿命期間内でのエンジン始動の予測回数と、予め設定された所定回数とを比較する。そして、予測回数が所定回数を超える場合には、ＳＯＣ及びＳＯＨの各しきい値を増大させてアイドリングストップの許可条件を厳しくする。これにより、バッテリ１の寿命を延命化させることが可能となる。その結果、目標寿命期間までバッテリ１の寿命を持たせることができる。
【００９１】
また、新品のバッテリ１の充電残量の変化に応じた開放電圧の変化に対するバッテリ１の内部抵抗の変化率は、バッテリ１のグレード等が異なってもほぼ共通しているため、その内部抵抗変化率と、車両組立完成時等における車両固有のエンジン始動時負荷ＬSに対するバッテリ１の満充電時の電圧降下特性とにより、バッテリ１の状態評価の基準となる新品状態のバッテリ１の車両固有の放電特性を、各車種固有のパラメータ設定を行うことなく、自動的に取得することができ、バラメータ設定のための人的及び装置的コストを軽減できるとともに、同一車種内の車両個体差によるバラツキにも容易に対応できる。
【００９２】
また、上述の如く、バッテリ１の基準放電特性と、各評価時点におけるエンジン始動時の放電によるバッテリ１の放電特性とに基づいて劣化度合い及び充電残量を評価することにより、車種の違いや車両個体差に対するパラメータ設定等の特別な対策を行うことなく、簡単な演算処理により的確にバッテリ１の劣化度合い及び充電残量を検出することができる。
【００９３】
また、バッテリ１の充電残量に依存することなく、各時点におけるバッテリ１の劣化度合いを検出することができるとともに、バッテリ１の劣化度合いに依存することなく、各時点におけるバッテリ１の充電残量を検出することができる。
【００９４】
また、本実施形態では、バッテリ１の放電時電圧値としてエンジン始動時の放電が行われた際におけるバッテリ１の出力電圧の最低値が用いられるため、バッテリ１の特性を有効に表す放電時電圧値を容易かつ確実に取得することができるとともに、バッテリ１の状態評価のための特別な放電をバッテリ１に行わせる必要がなく、またバッテリ１のエンジン始動能力を的確に評価することができる。なお、この点についての変形例として、バッテリ１のエンジン始動時の放電ではなく他の負荷による放電を用いてバッテリ１の放電特性を検出するようにしてもよい。また、放電時電圧値として放電時のバッテリ１の出力電圧の最低値を用いたが、例えば放電開始時から所定の微小時間経過後の出力電圧値を放電時電圧値として用いるようにしてもよい。
【００９５】
また、新品状態のバッテリ１の放電特性を取得する際のバッテリ１の充電残量の基準として、満充電状態が用いられるため、バッテリ１の充電残量を容易かつ正確に基準状態に設定することができ、その結果、バッテリ１の放電特性を容易かつ正確に検出することができる。この点について、他の充電残量レベルを基準として新品のバッテリ１の放電特性を取得するようにしてもよい。
【００９６】
＜変形例＞
なお、上述の実施形態によるバッテリ１の状態評価の手法は、各評価時におけるバッテリ１の下限電圧値ＶLRが高くなるほど信頼性が低下する傾向にあるため、評価結果の信頼性確保のため、下限電圧値ＶLRが所定の基準レベル以下である場合にのみバッテリ１の劣化度合い及び充電残量の判定を行うようにしてもよい。
【００９７】
また、上述の実施形態に係る図７の装置構成にバッテリ１の温度を計測する温度センサを追加し、バッテリ１の温度を考慮した状態評価を行うようにしてもよい。より具体的には、例えば、各温度における新品のバッテリ１の開放電圧と下限電圧との関係を表す２次元座標情報（この場合、温度を含めて考慮すると３次元座標情報ということもできる）を導出し、それに基づいてその時点の温度における状態評価を行う方法や、温度に依存するパラメータ（開放電圧、下限電圧等）の値を温度補正（例えば、標準温度の値に補正）して状態評価を行うようにしてもよい。
【図面の簡単な説明】
【００９８】
【図１】劣化状況及び充電残量の異なるバッテリについて開放電圧とエンジン始動時の下限電圧とを試験により計測した計測結果を示すグラフである。
【図２】バッテリのエンジン始動時の放電特性について説明するためのグラフである。
【図３】エンジン始動時にバッテリに接続される負荷とバッテリの内部抵抗との関係を模式的に示す回路図である。
【図４】ＪＩＳ容量試験を利用して新品のバッテリの放電時の出力電圧の推移を計測し、そのデータについて所定の平均化処理等を施して得られるデータのグラフである。
【図５】放電に伴う開放電圧の変化に対する内部抵抗変化率の推移を示すグラフである。
【図６】導出したバッテリのエンジン始動時の放電特性に基づいてバッテリの状態評価を行う原理を説明するためのグラフである。
【図７】本発明の一実施形態に係るバッテリ状態管理装置のブロック図である。
【図８】図７のバッテリ状態管理装置の全体的な処理動作を示すフローチャートである。
【図９】本発明に係るアイドリングストップ制御装置の構成を示すブロック図である。
【図１０】処理部によるしきい値の変更処理の流れを示すフローチャートである。
【図１１】本発明の効果を説明するためのグラフである。
【符号の説明】
【００９９】
１  バッテリ
１１  電流センサ
１３  電圧センサ
１５  処理部
１７  記憶部
１９  出力部
２１  ＩＧスイッチ
２３  スタータ
５１  検出部
５２  カウンタ
５３  判定部
５４  頻度検出部
【図１】
2007218107.tif 000010
【図２】
2007218107.tif 000011
【図３】
2007218107.tif 000012
【図４】
2007218107.tif 000013
【図５】
2007218107.tif 000014
【図６】
2007218107.tif 000015
【図７】
2007218107.tif 000016
【図８】
2007218107.tif 000017
【図９】
2007218107.tif 000018
【図１０】
2007218107.tif 000019
【図１１】
2007218107.tif 000020